(57)【要約】【課題】圧電素子の駆動回路の構成を複雑にすることなく、最適な状態で防塵ガラスを振動させることが可能な電子撮像装置を提供する。【解決手段】防塵機構を備えた電子撮像装置であって、被写体の光学像を電気信号に変換する光電変換素子（撮像素子２７）と、光電変換素子（撮像素子２７）の前面に配される防塵部材（防塵フィルター２１）と、防塵部材（防塵フィルター２１）を振動させて塵除去動作を行なわせる加振手段（圧電素子２２）と、この加振手段（圧電素子２２）により振動される前記防塵部材（防塵フィルター２１）の振動周波数を順次変化させるとともに、防塵部材（防塵フィルター２１）が振動しているときの振幅値をモニターし、該モニターされた振幅値に応じて、前記塵除去動作を制御するボディ制御用マイクロコンピュータ１５０とを具備する。【選択図】　　　　図２
2004056368.tif 000002
【特許請求の範囲】
【請求項１】
防塵機構を備えた電子撮像装置であって、
被写体の光学像を電気信号に変換する光電変換素子と、
前記光電変換素子の前面に配される防塵部材と、
前記防塵部材を振動させて塵除去動作を行なわせる加振手段と、
この加振手段により振動される前記防塵部材の振動周波数を順次変化させる周波数可変手段と、
前記防塵部材が振動しているときの振幅値をモニターし、該モニターされた振幅値に応じて、前記塵除去動作を制御するモニター手段と、
を具備することを特徴とする電子撮像装置。
【請求項２】
前記加振手段は、前記周波数可変手段から供給された周波数信号に応じて前記防塵部材を振動させるようにしたことを特徴とする請求項１に記載の電子撮像装置。
【請求項３】
前記加振手段は、前記周波数可変手段から順次供給された所定の周波数範囲における複数の周波数信号に応じて前記防塵部材を振動させるようにしたことを特徴とする請求項２に記載の電子撮像装置。
【請求項４】
前記所定の周波数範囲は、前記防塵部材の共振周波数を含む範囲であることを特徴とする請求項３に記載の電子撮像装置。
【請求項５】
前記モニター手段は、前記防塵部材が破壊する虞のある振幅値をモニターし、この振幅値を上回った場合には、前記塵除去動作を停止させることを特徴とする請求項１に記載の電子撮像装置。
【請求項６】
被写体の光学像を結像する撮像光学系と、
前記光学像を電気信号に変換する光電変換素子と、
前記撮像光学系と前記光電変換素子との間に配される防塵フィルターと、
前記防塵フィルターの一部に一体的に配設された圧電素子と、
前記圧電素子に電圧信号を印加して当該圧電素子を駆動する駆動回路と、
前記圧電素子を振動させることによって前記防塵フィルターを振動させるように、前記駆動回路に駆動信号を供給する制御回路と、
前記圧電素子の振動状態をモニターして、モニタ信号を前記制御回路に出力するモニター回路と、
を具備する電子撮像装置において、
前記制御回路は、前記防塵フィルターの振動周波数が順次変化するように前記駆動回路に供給する駆動信号を順次変更し、その間に前記モニター回路から供給されるモニタ信号のレベルが所定値を越えた場合には前記駆動信号の供給を停止するようにしたことを特徴とする電子撮像装置。
【請求項７】
前記制御回路は、前記モニター回路からのモニタ信号のレベルが所定値を越えた後、所定時間後に前記駆動信号の供給を停止するようにしたことを特徴とする請求項６に記載の電子撮像装置。
【請求項８】
前記駆動回路は、前記制御回路からの駆動信号に応じて、前記圧電素子に印加する電圧信号の周波数を変更するようにしたことを特徴とする請求項６に記載の電子撮像装置。
【発明の詳細な説明】
【０００１】
【発明の属する技術分野】
本発明は、デジタルカメラ等の電子撮像装置に関するものである。
【０００２】
【従来の技術】
デジタルカメラ等の電子撮像装置においては、本体内に機械的に動作する各種の機構が配置されているため、その機構から発生する塵埃等が撮像素子の光電変換面に付着して撮像画像を劣化させるという問題があった。
【０００３】
そこで、電子撮像装置の防塵機能に関する技術の一例として、撮像素子を保護する保護ガラス（防塵ガラス）を振動させることで、そのガラスに付着した塵埃等を払い落とすという技術が提案されている。
【０００４】
具体的には、例えば特願２０００−４０１２９１に開示されたものがあり、これは、ガラス板を振動させる手段として圧電素子を設け、印加された周期的な電圧に反応して前記圧電素子が伸縮することを応用して、取り付けられたガラス板を所定の周期で加振するものである。
【０００５】
より詳細には、防塵部材として撮像素子の前面側に防塵ガラス（フィルター）を配置し、また加振手段としてこの防塵ガラスの周縁部に一体となるように圧電素子を設けている。そして、この圧電素子に周期電圧を印加することで圧電素子を振動させ、この振動でもって防塵ガラスに対して所定の振動を与えるようになっている。
【０００６】
【発明が解決しようとする課題】
上記した先行技術では、圧電素子そのものの変位量は僅かであるので、圧電素子の変位量で防塵ガラスを振動させても効率良く塵埃の除去を行うことはできない。したがって、防塵ガラスの振動の振幅を大きくするために、その防塵ガラス自体がもつ固有の共振周波数で加振する必要がある。また、圧電素子に対して高い電圧を印加すれば、その変位量は大きくなって防塵ガラスにより大きな振幅の振動を発生させることができる。
【０００７】
その一方、防塵ガラスの振幅が大きくなりすぎると、防塵ガラス自体が破壊してしまうことがある。特に、駆動電源として電池を使用する撮像装置の場合、電池電圧に応じて防塵ガラスの振幅に差が生じることになるので、比較的低い電圧で大きな振幅が得られるように設定してしまうと、新品電池の場合に上述の事故が発生する虞がある。
【０００８】
本発明はこのような課題に着目してなされたものであり、圧電素子の駆動回路の構成を複雑にすることなく、最適な状態で防塵部材を振動させることができる電子撮像装置を提供することにある。
【０００９】
【課題を解決するための手段】
上記の目的を達成するために、第１の発明は、防塵機構を備えた電子撮像装置であって、被写体の光学像を電気信号に変換する光電変換素子と、前記光電変換素子の前面に配される防塵部材と、前記防塵部材を振動させて塵除去動作を行なわせる加振手段と、この加振手段により振動される前記防塵部材の振動周波数を順次変化させる周波数可変手段と、前記防塵部材が振動しているときの振幅値をモニターし、該モニターされた振幅値に応じて、前記塵除去動作を制御するモニター手段とを具備する。
【００１０】
また、第２の発明は、第１の発明に係る電子撮像装置において、前記加振手段は、前記周波数可変手段から供給された周波数信号に応じて前記防塵部材を振動させる。
【００１１】
また、第３の発明は、第２の発明に係る電子撮像装置において、前記加振手段は、前記周波数可変手段から順次供給された所定の周波数範囲における複数の周波数信号に応じて前記防塵部材を振動させる。
【００１２】
また、第４の発明は、第３の発明に係る電子撮像装置において、前記所定の周波数範囲は、前記防塵部材の共振周波数を含む範囲である。
【００１３】
また、第５の発明は、第１の発明に係る電子撮像装置において、前記モニター手段は、前記防塵部材が破壊する虞のある振幅値をモニターし、この振幅値を上回った場合には、前記塵除去動作を停止させる。
【００１４】
また、第６の発明は、被写体の光学像を結像する撮像光学系と、前記光学像を電気信号に変換する光電変換素子と、前記撮像光学系と前記光電変換素子との間に配される防塵フィルターと、前記防塵フィルターの一部に一体的に配設された圧電素子と、前記圧電素子に電圧信号を印加して当該圧電素子を駆動する駆動回路と、前記圧電素子を振動させることによって前記防塵フィルターを振動させるように、前記駆動回路に駆動信号を供給する制御回路と、前記圧電素子の振動状態をモニターして、モニタ信号を前記制御回路に出力するモニター回路と、を具備する電子撮像装置において、前記制御回路は、前記防塵フィルターの振動周波数が順次変化するように前記駆動回路に供給する駆動信号を順次変更し、その間に前記モニター回路から供給されるモニタ信号のレベルが所定値を越えた場合には前記駆動信号の供給を停止する。
【００１５】
また、第７の発明は、第６の発明に係る電子撮像装置において、前記制御回路は、前記モニター回路からのモニタ信号のレベルが所定値を越えた後、所定時間後に前記駆動信号の供給を停止する。
【００１６】
また、第８の発明は、第６の発明に係る電子撮像装置において、前記駆動回路は、前記制御回路からの駆動信号に応じて、前記圧電素子に印加する電圧信号の周波数を変更する。
【００１７】
【発明の実施の形態】
以下、図面を参照して本発明の実施形態を詳細に説明する。以下では、本発明をデジタルカメラに適用した場合について説明する。図１は、本発明の第１実施形態に係るデジタルカメラの一部を切断し、その内部構成を概略的に示す斜視図である。
【００１８】
本実施形態のカメラ１は、それぞれが別体に構成されるカメラ本体部１１とレンズ鏡筒１２とからなり、当該カメラ本体部１１及びレンズ鏡筒１２は、互いに着脱自在に構成されてなるものである。
【００１９】
レンズ鏡筒１２は、複数のレンズやその駆動機構等からなる撮影光学系１２ａを内部に保持して構成されている。この撮影光学系１２ａは、被写体からの光束を透過させることで当該被写体光束により形成される被写体の像を所定の位置（後述する撮像素子の光電変換面上）に結像せしめるように、例えば複数の光学レンズ等によって構成されるものである。そして、このレンズ鏡筒１２は、カメラ本体部１１の前面に向けて突出するように配設されている。
【００２０】
カメラ本体部１１は、内部に各種の構成部材等を備えて構成され、かつ撮影光学系１２ａを保持するレンズ鏡筒１２を着脱自在となるように配設するための連結部材である撮影光学系装着部１１ａをその前面に備えて構成されてなるいわゆる一眼レフレックス方式のカメラである。
【００２１】
つまり、カメラ本体部１１の前面側の略中央部には、被写体光束を当該カメラ本体部１１の内部へと導き得る所定の口径を有する露光用開口が形成されており、この露光用開口の周縁部に撮影光学系装着部１１ａが形成されている。
【００２２】
カメラ本体部１１の外面側には、その前面に上述の撮影光学系装着部１１ａが配設されているほか、上面部や背面部等の所定の位置にカメラ本体部１１を動作させるための各種の操作部材、例えば撮影動作を開始せしめるための指示信号等を発生させるためのレリーズボタン１７等が配設されている。
【００２３】
カメラ本体部１１の内部には、各種の構成部材、例えば、いわゆる観察光学系を構成するファインダー装置１３と、撮像素子固定板２８により固定される不図示の撮像素子の光電変換面への被写体光束の照射時間等を制御するシャッター機構等を備えたシャッター部１４と、被写体像に対応した画像信号を得る不図示の撮像素子及びこの撮像素子の光電変換面の前面側の所定の位置に配設され、当該光電変換面への塵埃等の付着を予防する防塵部材である防塵フィルター（防塵ガラスともいう）２１等を含む撮像ユニット１５と、電気回路を構成する各種の電気部材が実装される主回路基板１６を始めとした複数の回路基板（主回路基板１６のみを図示している）等が、それぞれ所定の位置に配設されている。
【００２４】
ファインダー装置１３は、撮影光学系１２ａを透過した被写体光束の光軸を折り曲げて観察光学系の側へと導き得るように構成される反射鏡１３ｂと、この反射鏡１３ｂから出射する光束を受けて正立正像を形成するペンタプリズム１３ａと、このペンタプリズム１３ａにより形成される像を拡大して観察するのに最適な形態の像を結像させる接眼レンズ１３ｃ等によって構成されている。
【００２５】
反射鏡１３ｂは、撮影光学系１２ａの光軸から待避する位置と当該光軸上の所定の位置との間で移動自在に構成され、通常状態においては、撮影光学系１２ａの光軸上において当該光軸に対して所定の角度、例えば角度４５度を有して配置されている。これにより、撮影光学系１２ａを透過した被写体光束は、当該カメラ１が通常状態にあるときには、反射鏡１３ｂによってその光軸が折り曲げられて、当該反射鏡１３ｂの上方に配置されるペンタプリズム１３ａの側へと反射されるようになっている。
【００２６】
一方、本カメラ１が撮影動作の実行中においては、当該反射鏡１３ｂは撮影光学系１２ａの光軸から退避する所定の位置に移動するようになっている。これによって、被写体光束は、撮像素子側へと導かれる。
【００２７】
シャッター部１４は、例えばフォーカルプレーン方式のシャッター機構やその駆動回路等、従来のカメラ等において一般的に利用されているものと同様のものが適用される。
【００２８】
図２は、本発明の第１実施形態に係るデジタルカメラシステムのブロック構成図である。
【００２９】
このカメラシステムは主として、カメラ本体部１１と、交換レンズとしてのレンズ鏡筒１２とから構成されており、カメラ本体部１１の前面に対して所望のレンズ鏡筒１２が着脱自在に設定されている。
【００３０】
レンズ鏡筒１２の制御はレンズ制御用マイクロコンピュータ（以下“Ｌｕｃｏｍ”と称する）２０５が行う。カメラ本体部１１の制御はボディ制御用マイクロコンピュータ（以下“Ｂｕｃｏｍ”と称する）１５０が行う。尚、これらＬｕｃｏｍ２０５とＢｕｃｏｍ１５０とは、合成時において通信コネクタ２０６を介して通信可能に電気的接続がなされる。そしてカメラシステムとしてＬｕｃｏｍ２０５がＢｕｃｏｍ１５０に従属的に協働しながら稼動するようになっている。
【００３１】
レンズ鏡筒１２内には撮影光学系１２ａと絞り２０３が設けられている。撮影光学系１２ａはレンズ駆動機構２０２内に在る図示しないＤＣモータによって駆動される。絞り２０３は絞り駆動機構２０４内に在る図示しないステッピングモータによって駆動される。Ｌｕｃｏｍ２０５はＢｕｃｏｍ１５０の指令に従ってこれら各モータを制御する。
【００３２】
カメラ本体部１１内には次の構成部材が図示のように配設されている。例えば、光学系としての一眼レフ方式の構成部材（ペンタプリズム１３ａ、反射鏡１３ｂ、接眼レンズ１３ｃ、サブミラー１１４）と、光軸上のフォーカルプレーン式のシャッター部１４と、前記サブミラー１１４からの反射光束を受けて自動測距する為のＡＦセンサユニット１１６が設けられている。
【００３３】
また、前記ＡＦセンサユニット１１６を駆動制御するＡＦセンサ駆動回路１１７と、前記反射鏡１３ｂを駆動制御するミラー駆動機構１１８と、前記シャッター部１４の先幕と後幕を駆動するばねをチャージするシャッターチャージ機構１１９と、それら先幕と後幕の動きを制御するシャッター制御回路１２０と、前記ペンタプリズム１３ａからの光束に基づき測光処理する測光回路１２１が設けられている。
【００３４】
光軸上には、前記光学系を通過した被写体像を光電変換するための撮像素子２７が光電変換素子として設けられている。更にこの撮像素子２７は、該撮像素子２７とシャッター部１４との間に配された光学素子としての防塵フィルター２１によって保護されている。そして、この防塵フィルター２１を所定の周波数で振動させる加振手段の一部として、例えば圧電素子２２がその防塵フィルター２１の周縁部に取り付けられている。
【００３５】
圧電素子２２は２つの電極を有しており、この圧電素子２２が加振手段の一部としての防塵フィルター駆動回路１４０によって駆動されて防塵フィルター２１を振動させ、そのガラス表面に付着していた塵を除去できるように構成されている。
【００３６】
なお、撮像素子２７の周辺の温度を測定するために、防塵フィルター２１の近傍には、温度測定回路１３３が設けられている。
【００３７】
このカメラシステムにはさらに、撮像素子２７に接続されたインターフェイス回路１２３を介して画像処理コントローラ１２８が設けられている。画像処理コントローラ１２８は、液晶モニタ１２４や、記憶媒体としてのＳＤＲＡＭ１２５、フラッシュＲＯＭ（ＦｌａｓｈＲＯＭ）１２６および記録メディア１２７などを利用して画像処理を行い、これによって電子撮像機能と共に電子記録表示機能を提供できるように構成されている。
【００３８】
その他の記憶媒体としては、カメラ制御に必要な所定の制御パラメータを記憶する不揮発性記憶手段として、例えばＥＥＰＲＯＭから成る不揮発性メモリ１２９がＢｕｃｏｍ１５０からアクセス可能に設けられている。
【００３９】
また、Ｂｕｃｏｍ１５０には、当該カメラの動作状態を表示出力によってユーザへ告知するための動作表示用ＬＣＤ１５１と、カメラ操作ＳＷ１５２とが設けられている。前記カメラ操作ＳＷ１５２は、例えばレリーズＳＷ、モード変更ＳＷおよびパワーＳＷなどの、当該カメラを操作するために必要な操作釦を含むスイッチ群である。
【００４０】
さらに、電源としての電池１５４と、この電源の電圧を、当該カメラシステムを構成する各回路ユニットが必要とする電圧に変換して供給する電源回路１５３が設けられている。
【００４１】
上述した如くに構成されたカメラシステムでは、各部が次のように動作する。
【００４２】
画像処理コントローラ１２８は、Ｂｕｃｏｍ１５０の指令に従ってインターフェイス回路１２３を制御して撮像素子２７から画像データを取り込む。この画像データは画像処理コントローラ１２８でビデオ信号に変換され、液晶モニタ１２４にて出力表示される。ユーザはこの液晶モニタ１２４の表示画像から、撮影した画像イメージを確認できる。
【００４３】
ＳＤＲＡＭ１２５は画像データの一時的保管用メモリであり、画像データが変換される際のワークエリアなどに使用される。またこの画像データはＪＰＥＧデータに変換された後には記録メディア１２７に保管されるように設定されている。
【００４４】
撮像素子２７および圧電素子２２は、防塵フィルター２１を一面とし且つ破線で示すような枠体によって囲まれたケース内に一体的に収納されることが、防塵のためにはより好ましい。
【００４５】
通常、温度はガラス製の物材の弾性係数に影響し、その固有振動数を変化させる要因の１つであるため、運用時にその温度を計測してその固有振動数の変化を考慮しなければならない。稼動中に温度上昇が激しい撮像素子２７の前面を保護するために設けられた防塵フィルター２１の温度変化を測定してその時の固有振動数を予想するほうがよい。
【００４６】
したがってこの例の場合、前記温度測定回路１３３に接続されたセンサ（不図示）が、撮像素子２７の周辺温度を測定するために設けられている。尚、そのセンサの温度測定ポイントは、防塵フィルター２１の振動面の極近傍に設定されるのが好ましい。
【００４７】
ミラー駆動機構１１８は、反射鏡１３ｂをＵＰ位置とＤＯＷＮ位置へ駆動するための機構であり、この反射鏡１３ｂがＤＯＷＮ位置にある時、撮影光学系１２ａからの光束はＡＦセンサユニット１１６側とペンタプリズム１３ａ側へと分割されて導かれる。
【００４８】
ＡＦセンサユニット１１６内のＡＦセンサからの出力は、ＡＦセンサ駆動回路１１７を介してＢｕｃｏｍ１５０へ送信されて周知の測距処理が行われる。
【００４９】
また、ペンタプリズム１３ａに隣接する接眼レンズ１３ｃからはユーザが被写体を目視できる一方、このペンタプリズム１３ａを通過した光束の一部は測光回路１２１内のホトセンサ（不図示）へ導かれ、ここで検知された光量に基づき周知の測光処理が行われる。
【００５０】
次に、本実施形態のカメラ１における撮像ユニット１５の詳細について、以下に説明する。
【００５１】
図３、図４、図５は、本実施形態のカメラ１における撮像ユニット１５の一部を取り出して示す図であって、図３は、当該撮像ユニットを分解して示す要部分解斜視図である。図４は、組み立てた状態の当該撮像ユニットの一部を切断して示す斜視図である。図５は、図４の切断面に沿う断面図である。
【００５２】
なお、本実施形態のカメラ１の撮像ユニット１５は、上述したようにシャッター部１４を含む複数の部材によって構成されるユニットであるが、図３〜図５においては、その主要部を図示するに留め、シャッター部１４の図示は省略している。また、各構成部材の位置関係を示すために、図３〜図５においては、当該撮像ユニット１５の近傍に設けられ、撮像素子２７が実装されると共に、画像信号処理回路及びワークメモリ等からなる撮像系の電気回路が実装される主回路基板１６を合わせて図示している。なお、この主回路基板１６、それ自体の詳細については、従来のカメラ等において一般的に利用されているものが適用されるものとして、その説明は省略する。
【００５３】
撮像ユニット１５は、ＣＣＤ等からなり撮影光学系１２ａを透過し自己の光電変換面上に照射された光に対応した画像信号を得る撮像素子２７と、この撮像素子２７を固定支持する薄板状の部材からなる撮像素子固定板２８と、撮像素子２７の光電変換面の側に配設され、撮影光学系１２ａを透過して照射される被写体光束から高周波成分を取り除くべく形成される光学素子である光学的ローパスフィルター（Ｌｏｗ　ｐａｓｓ　Ｆｉｌｔｅｒ；以下、光学ＬＰＦという）２５と、この光学ＬＰＦ２５と撮像素子２７との間の周縁部に配置され、略枠形状の弾性部材等によって形成されるローパスフィルター受け部材２６と、撮像素子２７を収納し固定保持すると共に光学ＬＰＦ２５をその周縁部位乃至その近傍部位に密着して支持し、かつ所定の部位を後述する防塵フィルター受け部材２３に密に接触するように配設される撮像素子収納ケース部材２４（以下、ＣＣＤケース２４という）と、このＣＣＤケース２４の前面側に配置され防塵フィルター２１をその周縁部位乃至その近傍部位に密着して支持する防塵フィルター受け部材２３と、この防塵フィルター受け部材２３によって支持されて撮像素子２７の光電変換面の側であって光学ＬＰＦ２５の前面側において当該光学ＬＰＦ２５との間に所定の間隔を持つ所定の位置に対向配置される防塵部材である防塵フィルター２１と、この防塵フィルター２１の周縁部に配設され当該防塵フィルター２１に対して所定の振動を与えるための加振用部材であり例えば電気機械変換素子等からなる圧電素子２２と、防塵フィルター２１を防塵フィルター受け部材２３に対して気密的に接合させ固定保持する弾性体からなる押圧部材２０等によって構成されている。
【００５４】
撮像素子２７は、撮影光学系１２ａを透過した被写体光束を自己の光電変換面に受けて光電変換処理を行なうことによって、当該光電変換面に形成される被写体像に対応した画像信号を取得するものであって、例えば電荷結合素子（ＣＣＤ；Ｃｈａｒｇｅ　Ｃｏｕｐｌｅｄ　Ｄｅｖｉｃｅ）が適用されている。
【００５５】
この撮像素子２７は、撮像素子固定板２８を介して主回路基板１６上の所定の位置に実装されている。この主回路基板１６には、上述したように画像信号処理回路及びワークメモリ等が共に実装されており、撮像素子２７から出力された信号は、これらの回路で処理されるようになっている。
【００５６】
撮像素子２７の前面側には、ローパスフィルター受け部材２６を挟んで光学ＬＰＦ２５が配設されている。そして、これを覆うようにＣＣＤケース２４が配設されている。
【００５７】
つまり、ＣＣＤケース２４には、略中央部分に矩形状からなる開口２４ｃが設けられており、この開口２４ｃには、その後方側から光学ＬＰＦ２５及び撮像素子２７が配設されるようになっている。この開口２４ｃの後方側の内周縁部には、図４、図５に示すように断面が略Ｌ字形状からなる段部２４ａが形成されている。
【００５８】
上述したように、光学ＬＰＦ２５と撮像素子２７との間には、弾性部材等からなるローパスフィルター受け部材２６が配設されている。このローパスフィルター受け部材２６は、撮像素子２７の前面側の周縁部においてその光電変換面の有効範囲を避ける位置に配設され、かつ光学ＬＰＦ２５の背面側の周縁部近傍に当接するようになっている。そして、光学ＬＰＦ２５と撮像素子２７との間を略気密性が保持されるようにしている。これにより、光学ＬＰＦ２５には、ローパスフィルター受け部材２６による光軸方向への弾性力が働くことになる。
【００５９】
そこで、光学ＬＰＦ２５の前面側の周縁部を、ＣＣＤケース２４の段部２４ａに対して略気密的に接触させるように配置することで、当該光学ＬＰＦ２５をその光軸方向に変位させようとするローパスフィルター受け部材２６による弾性力に抗して当該光学ＬＰＦ２５の光軸方向における位置を規制するようにしている。
【００６０】
換言すれば、ＣＣＤケース２４の開口２４ｃの内部に背面側より挿入された光学ＬＰＦ２５は、段部２４ａによって光軸方向における位置規制がなされている。これにより、当該光学ＬＰＦ２５は、ＣＣＤケース２４の内部から前面側へ向けて外部に抜け出ないようになっている。
【００６１】
このようにして、ＣＣＤケース２４の開口２４ｃの内部に背面側から光学ＬＰＦ２５が挿入された後、光学ＬＰＦ２５の背面側には、撮像素子２７が配設されるようになっている。この場合において、光学ＬＰＦ２５と撮像素子２７との間には、周縁部においてローパスフィルター受け部材２６が挟持されるようになっている。
【００６２】
また、撮像素子２７は、上述したように撮像素子固定板２８を挟んで主回路基板１６に実装されている。そして、撮像素子固定板２８は、ＣＣＤケース２４の背面側からネジ孔２４ｅに対してネジ２８ｂによってスペーサ２８ａを介して固定されている。また、撮像素子固定板２８には、主回路基板１６がスペーサ１６ｃを介してネジ１６ｄによって固定されている。
【００６３】
ＣＣＤケース２４の前面側には、防塵フィルター受け部材２３がＣＣＤケース２４のネジ孔２４ｂに対してネジ２３ｂによって固定されている。この場合において、ＣＣＤケース２４の周縁側であって前面側の所定の位置には、図４、図５において詳細に示すように、周溝２４ｄが略環状に形成されている。その一方で、防塵フィルター受け部材２３の周縁側であって背面側の所定の位置には、ＣＣＤケース２４の周溝２４ｄに対応させた環状凸部２３ｄ（図３には図示出来ず）が全周にわたって略環状に形成されている。したがって、環状凸部２３ｄと周溝２４ｄとが嵌合することによりＣＣＤケース２４と防塵フィルター受け部材２３とは、環状の領域、即ち周溝２４ｄと環状凸部２３ｄとが形成される領域において相互に略気密的に嵌合するようになっている。
【００６４】
防塵フィルター２１は、全体として円形乃至多角形の板状をなし、少なくとも自己の中心から放射方向に所定の広がりを持つ領域が透明部をなしており、この透明部が光学ＬＰＦ２５の前面側に所定の間隔を持って対向配置されているものである。
【００６５】
また、防塵フィルター２１の一方の面（本実施形態では背面側）の周縁部には、当該防塵フィルター２１に対して振動を与えるための所定の加振用部材であり電気機械変換素子等によって形成される圧電素子２２が一体となるように、例えば接着剤による貼着等の手段により配設されている。この圧電素子２２は、外部から所定の駆動電圧を印加することによって防塵フィルター２１に所定の振動を発生させることができるように構成されている。
【００６６】
そして、防塵フィルター２１は、防塵フィルター受け部材２３に対して気密的に接合するように板ばね等の弾性体からなる押圧部材２０によって固定保持されている。
【００６７】
防塵フィルター受け部材２３の略中央部近傍には、円形状又は多角形状からなる開口２３ｆが設けられている。この開口２３ｆは、撮影光学系１２ａを透過した被写体光束を通過させて、当該光束が後方に配置される撮像素子２７の光電変換面を照射するのに充分な大きさとなるように設定されている。
【００６８】
この開口２３ｆの周縁部には、前面側に突出する壁部２３ｅ（図４、図５参照）が略環状に形成されており、この壁部２３ｅの先端側には、さらに前面側に向けて突出するように受け部２３ｃが形成されている。
【００６９】
一方、防塵フィルター受け部材２３の前面側の外周縁部近傍には、所定の位置に複数（本実施形態では三箇所）の突状部２３ａが前面側に向けて突出するように形成されている。この突状部２３ａは、防塵フィルター２１を固定保持する押圧部材２０を固定するために形成される部位であって、当該押圧部材２０は、突状部２３ａの先端部に対してねじ２０ａ等の締結手段により固設されている。
【００７０】
押圧部材２０は、上述したように板ばね等の弾性体によって形成される部材であって、その基端部が突状部２３ａに固定され、自由端部が防塵フィルター２１の外周縁部に当接することで、当該防塵フィルター２１を防塵フィルター受け部材２３の側、即ち光軸方向に向けて押圧するようになっている。
【００７１】
この場合において、防塵フィルター２１の背面側の外周縁部に配設される圧電素子２２の所定の部位が、受け部２３ｃに当接することで、防塵フィルター２１及び圧電素子２２の光軸方向における位置が規制されるようになっている。したがってこれにより、防塵フィルター２１は、圧電素子２２を介して防塵フィルター受け部材２３に対して気密的に接合するように固定保持されている。
【００７２】
換言すれば、防塵フィルター受け部材２３は、押圧部材２０による付勢力によって防塵フィルター２１と圧電素子２２を介して気密的に接合するように構成されている。
【００７３】
ところで、上述したように防塵フィルター受け部材２３とＣＣＤケース２４とは、周溝２４ｄと環状凸部２３ｄ（図４、図５参照）とが相互に略気密的に嵌合するようになっているのと同時に、防塵フィルター受け部材２３と防塵フィルター２１とは、押圧部材２０の付勢力により圧電素子２２を介して気密的に接合するようになっている。また、ＣＣＤケース２４に配設される光学ＬＰＦ２５は、光学ＬＰＦ２５の前面側の周縁部とＣＣＤケース２４の段部２４ａとの間で略気密的となるように配設されている。さらに、光学ＬＰＦ２５の背面側には、撮像素子２７がローパスフィルター受け部材２６を介して配設されており、光学ＬＰＦ２５と撮像素子２７との間においても、略気密性が保持されるようになっている。
【００７４】
したがってこれにより、光学ＬＰＦ２５と防塵フィルター２１とが対向する間の空間には、所定の空隙部５１ａが形成されている。また、光学ＬＰＦ２５の周縁側、即ちＣＣＤケース２４と防塵フィルター受け部材２３と防塵フィルター２１とによって、空間部５１ｂが形成されている。この空間部５１ｂは、光学ＬＰＦ２５の外側に張り出すようにして形成されている封止された空間である（図４、図５参照）。また、この空間部５１ｂは、空隙部５１ａよりも広い空間となるように設定されている。そして、空隙部５１ａと空間部５１ｂとからなる空間は、上述した如くＣＣＤケース２４と防塵フィルター受け部材２３と防塵フィルター２１と光学ＬＰＦ２５とによって略気密的に封止される封止空間５１となっている。
【００７５】
このように、本実施形態のカメラにおける撮像ユニット１５では、光学ＬＰＦ２５及び防塵フィルター２１の周縁に形成され空隙部５１ａを含む略密閉された封止空間５１を形成する封止構造部が構成されている。そして、この封止構造部は、光学ＬＰＦ２５の周縁乃至その近傍から外側の位置に設けられるようになっている。
【００７６】
さらに、本実施形態においては、防塵フィルター２１をその周縁部位乃至その近傍部位に密着して支持する第１の部材である防塵フィルター受け部材２３と、光学ＬＰＦ２５をその周縁部位乃至その近傍部位に密着して支持すると共に、自己の所定部位で防塵フィルター受け部材２３と密に接触するように配設される第２の部材であるＣＣＤケース２４等によって、封止構造部が構成されている。
【００７７】
上述のように構成された本実施形態のカメラにおいては、撮像素子２７の前面側の所定の位置に防塵フィルター２１を対向配置し、撮像素子２７の光電変換面と防塵フィルター２１との周縁に形成される封止空間５１を封止するように構成したことによって、撮像素子２７の光電変換面に塵埃等が付着するのを予防している。
【００７８】
そして、この場合においては、防塵フィルター２１の前面側の露出面に付着する塵埃等については、当該防塵フィルター２１の周縁部に一体となるように配設される圧電素子２２に周期電圧を印加して防塵フィルター２１に対して所定の振動を与えることで、除去することができるようになっている。
【００７９】
図６は、本カメラ１における撮像ユニット１５のうち防塵フィルター２１及びこれに一体に設けられる圧電素子２２のみを取り出して示す正面図である。また、図７、図８は、図６の圧電素子２２に対して駆動電圧を印加した際の防塵フィルター２１及び圧電素子２２の状態変化を示し、図７は図６のＡ−Ａ線に沿う断面図、図８は図６のＢ−Ｂ線に沿う断面図である。
【００８０】
ここで、例えば圧電素子２２に負（マイナス；−）電圧を印加した場合には、防塵フィルター２１は、図７、図８において実線で示すように変形する一方、圧電素子２２に正（プラス；＋）電圧を印加した場合には、防塵フィルター２１は、同図において点線で示すように変形することになる。
【００８１】
この場合において、図６〜図８の符号２１ａで示すような振動の節の位置では、実質的に振幅は零になることから、この節２１ａに対応する部位に防塵フィルター受け部材２３の受け部２３ｃを当接させるように設定する。これにより、振動を阻害することなく防塵フィルター２１を効率的に支持し得ることになる。
【００８２】
そして、この状態において、所定のときに防塵フィルター駆動回路１４０を制御して、圧電素子２２に対して周期的な電圧を印加することで防塵フィルター２１は振動し、当該防塵フィルター２１の表面に付着した塵埃等は除去される。
【００８３】
なお、このときの共振周波数は、防塵フィルター２１の形状や板厚・材質等により決まるものである。上述の図６〜図８に示す例では、１次の振動を発生させた場合を示しているが、これに限らず、高次の振動を発生させるようにしてもよい。
【００８４】
次に、図９に示す防塵フィルター駆動回路１４０の回路図と、図１０のタイムチャートに基づいて、この第１実施形態に係るデジタルカメラの防塵フィルター２１の駆動およびその動作と制御について説明する。
【００８５】
ここに例示した防塵フィルター駆動回路１４０は、図９に示すような回路構成を有し、その各部において、図１０のタイムチャートで表わす波形信号（Ｓｉｇ１〜Ｓｉｇ６）が生成され、それらの信号に基づいて次のように制御される。すなわち、防塵フィルター駆動回路１４０は図９に例示の如く、Ｎ進カウンタ４１、１／２分周回路４２、インバータ４３、複数のＭＯＳトランジスタ（Ｑ００，Ｑ０１，Ｑ０２）４４ａ，４４ｂ，４４ｃ、トランス４５、抵抗（Ｒ００）４６、Ａ／Ｄコンバータ６０、圧電素子２２の第１の電極Ａとこれに並ぶ第２の電極Ｂ６１、ダイオード（Ｄ００）６２、抵抗（Ｒ０１，Ｒ０２）６３，６４およびコンデンサ（Ｃ００）６５から構成されている。
【００８６】
前記トランス４５の１次側に接続されたトランジスタ（Ｑ０１）４４ｂおよびトランジスタ（Ｑ０２）４４ｃのＯＮ／ＯＦＦ切替え動作によって、そのトランス４５の２次側に所定周期の信号（Ｓｉｇ４）が発生するように構成されており、この所定周期の信号に基づき２つの電極Ａ，Ｂを有した圧電素子２２を種々に駆動させながら、効率的な共振周波数を探し出して防塵フィルター２１を効果的に共振させるようになっている。詳細については後述する。
【００８７】
Ｂｕｃｏｍ１５０は、制御ポートとして設けられた２つのＩＯポートＰ＿ＰｗＣｏｎｔ及びＩＯポートＤ＿ＮＣｎｔと、このＢｕｃｏｍ１５０内部に存在するクロックジェネレータ５５を介して防塵フィルター駆動回路１４０を次のように制御する。クロックジェネレータ５５は、圧電素子２２へ印加する信号周波数より充分に早い周波数でパルス信号（基本クロック信号）をＮ進カウンタ４１へ出力する。この出力信号が図１０中のタイムチャートが表わす波形の信号Ｓｉｇ１である。そしてこの基本クロック信号はＮ進カウンタ４１へ入力される。
【００８８】
Ｎ進カウンタ４１は、当該パルス信号をカウントし所定の値“Ｎ”に達する毎にカウント終了パルス信号を出力する。即ち、基本クロック信号を１／Ｎに分周することになる。この出力信号が図１０中のタイムチャートが表わす波形の信号Ｓｉｇ２である。
【００８９】
この分周されたパルス信号はＨｉｇｈとＬｏｗのデューティ比が１：１ではない。そこで、１／２分周回路４２を通してデューティ比を１：１へ変換する。
【００９０】
なお、この変換されたパルス信号は図１０中のタイムチャートが表わす波形の信号Ｓｉｇ３に対応する。
【００９１】
この変換されたパルス信号のＨｉｇｈ状態において、この信号が入力されたＭＯＳトランジスタ（Ｑ０１）４４ｂがＯＮする。一方、トランジスタ（Ｑ０２）４４ｃへはインバータ４３を経由してこのパルス信号が印加される。したがって、パルス信号のＬｏｗ状態において、この信号が入力されたトランジスタ（Ｑ０２）４４ｃがＯＮする。トランス４５の１次側に接続されたトランジスタ（Ｑ０１）４４ｂとトランジスタ（Ｑ０２）４４ｃが交互にＯＮすると、２次側には図１０中の信号Ｓｉｇ４の如き周期の信号が発生する。
【００９２】
トランス４５の巻き線比は、電源回路１５３のユニットの出力電圧と圧電素子２２の駆動に必要な電圧から決定される。尚、抵抗（Ｒ００）４６はトランス４５に過大な電流が流れることを制限するために設けられている。
【００９３】
圧電素子２２を駆動するに際しては、トランジスタ（Ｑ００）４４ａがＯＮ状態にあり、電源回路１５３のユニットからトランス４５のセンタータップに電圧が印加されていなければならない。図中トランジスタ（Ｑ００）４４ａのＯＮ／ＯＦＦ制御はＩＯポートのＰ＿ＰｗＣｏｎｔを介して行われる。Ｎ進カウンタ４１の設定値“Ｎ”はＩＯポートＤ＿ＮＣｎｔから設定できる。よって、Ｂｕｃｏｍ１５０は、設定値“Ｎ”を適宜に制御することで、圧電素子２２の駆動周波数を任意に変更可能である。
【００９４】
このとき、次式によって周波数は算出可能である。
【００９５】
Ｎ：カウンタへの設定値、
ｆｐｌｓ：クロックジェネレータの出力パルスの周波数、
ｆｄｒｖ：圧電素子へ印加される信号の周波数、
ｆｄｒｖ＝ｆｐｌｓ／２Ｎ　　　　　…（１式）
尚、この式に基づいた演算は、Ｂｕｃｏｍ１５０のＣＰＵ（制御手段）で行われる。
【００９６】
電極Ｂ６１は、ガラス板の振動状態を検出するための圧電素子の電極である。この電極Ｂ６１からそのガラス板の振動状態に応じた交流電圧（モニタ信号）が発生する。これが図１０のタイムチャート上のＳｉｇ５である。
【００９７】
電極Ｂ６１に接続するダイオード（Ｄ００）６２はそのモニタ信号を半波整流するために設けられている。また、このダイオード（Ｄ００）６２に続く抵抗（Ｒ０１，Ｒ０２）６３，６４およびコンデンサ（Ｃ００）６５によって、そのモニタ信号の包絡線が形成されている。これら抵抗（Ｒ０１，Ｒ０２）６３，６４およびコンデンサ（Ｃ００）６５から成る検出回路によって決定される時定数は、ガラスの振動周波数によって最適値が異なる。抵抗（Ｒ０１，Ｒ０２）６３，６４でモニタ信号は、Ａ／Ｄコンバータ６０へ入力可能なレベルまで減圧される。この信号が図１０のタイムチャート上のＳｉｇ６である。
【００９８】
この信号はＡ／Ｄコンバータ６０でデジタルデータに変換され、Ｂｕｃｏｍ１５０のＩＯポートＤ＿ＤＡＣｉｎから読み取られる。Ｂｕｃｏｍ１５０は、モニタ信号が最大レベルになるようにＮ進カウンタ４１に設定する値を決定すればよい。最大レベルを示すＮ進カウンタ４１の値（共振周波数）でガラスを駆動するとき、効率よく塵を払うことができる。
【００９９】
上述のカメラボディ制御用マイクロコンピュータ（Ｂｕｃｏｍ）１５０が行う制御について具体的に説明する。
【０１００】
図１１にＢｕｃｏｍ１５０で稼動する制御プログラムのメインルーチンを例示する。まずカメラの電源ＳＷ（不図示）がＯＮされると、Ｂｕｃｏｍ１５０は稼動を開始し、ステップ＃００１では、カメラシステムを起動するための処理が実行される。電源回路１５３を制御してこのカメラシステムを構成する各回路ユニットへ電力を供給する。また各回路の初期設定を行う。
【０１０１】
ステップ＃００２では、サブルーチン「塵除去動作」がコールされ実行される。このサブルーチン中では、共振周波数付近で駆動周波数を変化させながら防塵フィルター２１を加振し、ガラス面に付着した塵を振り払うことで、このカメラを撮影に使用しない期間に、ユーザが意図せずに付着した塵を除去できるようになっている。
【０１０２】
ステップ＃００３は、周期的に実行されるステップであり、Ｌｕｃｏｍ２０５と通信動作を行うことでレンズ鏡筒１２の着脱状態を検出するための動作ステップである。そしてステップ＃００４にて、レンズ鏡筒１２がカメラ本体１１に装着されたか否かを判断し、ＹＥＳの場合にはステップ＃００７へ移行し、ＮＯの場合にはステップ＃００５に移行する。ステップ＃００５では、レンズ鏡筒１２がカメラ本体１１から外されたか否かを判断する。ここでＹＥＳの場合にはステップ＃００６に移行して制御フラグＦ＿Ｌｅｎｓをリセットし、その後、ステップ＃０１０に移行する。ステップ＃００５の判断がＮＯの場合には直ちにステップ＃０１０に移行する。
【０１０３】
一方、ステップ＃００７では、制御フラグＦ＿Ｌｅｎｓをセットする。この制御フラグは、カメラ本体１１にレンズ鏡筒１２が装着されている期間は“１”を示し、レンズ鏡筒１２が外されている期間は“０”を示す。
【０１０４】
そしてステップ＃００８にて、防塵フィルター２１の塵を除去するためのサブルーチン「塵除去動作」がコールされ実行される。その後はステップ＃０１０の移行する。
【０１０５】
ステップ＃０１０では、カメラ操作ＳＷ１５２の状態を検出する。そして、ステップ＃０１１においてカメラ操作ＳＷ１５２の１つであるＣｌｅａｎＵＰ−ＳＷ（不図示）の状態変化が検出されたか否かにより当該ＣｌｅａｎＵＰ−ＳＷが操作されたか否かを判断し、ＹＥＳの場合にはステップ＃０１２へ移行し、ＮＯの場合にはステップ＃０１４に移行する。
【０１０６】
ステップ＃０１２では、防塵フィルター２１の塵を除去するための動作が実行される。このステップ＃０１２の動作に連動して、ステップ＃０１３にてＣＣＤ（撮像素子）の画素欠陥情報の取込み動作が実行される。欠陥画素の情報はＦｌａｓｈＲＯＭ１２６に記憶され、画像データの補正に用いられる。塵が付着していると正確に欠陥情報が入手できない。そこで、ステップ＃０１３の動作の前にステップ＃０１２の動作が上述したと同様に実行される。
【０１０７】
一方、ステップ＃０１４では、カメラ操作ＳＷの１つである１ｓｔ．レリーズＳＷ（不図示）が操作されたか否かを判断する。もし、１ｓｔ．レリーズＳＷがＯＮしているならばステップ＃０１５へ移行し、ＯＦＦならば前記ステップ＃００３へ再び移行する。
【０１０８】
ステップ＃０１５では、測光回路１２１から被写体の輝度情報を入手する。そしてこの情報から撮像素子２７の露光時間（Ｔｖ値）と撮影レンズ１の絞り設定値（Ａｖ値）を算出する。
【０１０９】
ステップ＃０１６では、ＡＦセンサ駆動回路１１７を経由してＡＦセンサユニット１１６の検知データを入手する。このデータに基づきピントのズレ量を算出する。
【０１１０】
次にステップ＃０１７にて、Ｆ＿Ｌｅｎｓの状態を判定する。“０”ならばレンズ鏡筒１２が存在しないことを意味するので、次のステップ＃０１８以降の撮影動作は実行できない。そこでこの場合は前記ステップ＃００３へ再び移行する。また、Ｆ＿Ｌｅｎｓの状態が“１”ならばステップ＃０１８に移行する。ステップ＃０１８では、Ｌｕｃｏｍ２０５に対してピントのズレ量を送信して、このズレ量に基づく撮影光学系１２ａの駆動を指令する。
【０１１１】
ステップ＃０１９では、カメラ操作ＳＷ１５２の１つである２ｎｄ．レリーズＳＷ（不図示）が操作されたか否かを判定する。この２ｎｄ．レリーズＳＷがＯＮしているときはステップ＃０１９０へ移行して所定の撮影動作を行うが、ＯＦＦのときは前記ステップ＃００３へ再び移行する。
【０１１２】
ステップ＃０１９０では、撮影動作に先立って塵を除くため「塵除去動作」ルーチンが実行される。
【０１１３】
次のステップ＃０２０では、Ｌｕｃｏｍ２０５へＡｖ値を送信し、絞り２０３の駆動を指令し、ステップ＃０２１にて反射鏡（ミラー）１３ｂをＵＰ位置へ移動する。ステップ＃０２２にてシャッター１４の先幕走行を開始させ、ステップ＃０２３にて画像処理コントローラ１２８に対して撮像動作の実行を指令する。Ｔｖ値で示される時間、撮像素子２７への露光が終了すると、ステップ＃０２４において、シャッター１４の後幕走行を開始させ、ステップ＃０２５にて反射鏡１３ｂをＤｏｗｎ位置へ駆動する。
【０１１４】
またこれと並行してシャッター１４のチャージ動作を行う。
【０１１５】
そしてステップ＃０２６では、Ｌｕｃｏｍ２０５に対して絞り２０３を開放位置へ復帰させるように指令し、ステップ＃０２７では、画像処理コントローラ１２８に対して、撮影した画像データを記録メディア１２７へ記録するように指令する。その画像データの記録が終了すると、再び前記ステップ＃００３へ移行する。
【０１１６】
図１２は塵除去動作を行うサブルーチンのフローチャートであるが、その前に本願発明の特徴的な部分について説明する。
【０１１７】
この第１実施形態の電子撮像装置のように、撮像素子の前面に配される防塵フィルターを振動させることによって防塵フィルターの表面に付着した塵埃を除去する防塵機構を有する電子撮像装置においては、振動の振幅を大きくするために防塵フィルター固有の共振周波数で振動させる必要がある。ただし、この共振周波数の概算値は設計上求めることができるが、実際には防塵フィルターのバラツキ、経年変化、周辺温度等の様々な要因により、一定にはならない。
【０１１８】
そのため第１の実施形態においては、設計上の共振周波数を含む所定の周波数範囲において、防塵フィルターを振動させる周波数を順次変更する（周波数をスキャンする）ようにしている。これにより、たとえ共振点が設計値からはずれた場合でも、その範囲内であれば必ず共振周波数での振動を行わせることができる。
【０１１９】
図１３は、振動の周波数をＦ１からＦ１５までスキャンする場合のＮ進カウンタ４１に設定するプリセット値と、圧電素子２２に印加する駆動周波数の関係を示す図である。この場合、例えば設計上の共振周波数が４０Ｈｚであり、その共振周波数が何らかの要因でずれたとしても、約±０．５Ｈｚの範囲であれば共振周波数での振動が可能になる。
【０１２０】
また、図１４は、周波数スキャン動作に対するモニタ出力の変化を示す図である。モニタ出力が最大となる周波数Ｆｋが、この時の共振周波数に相当する。
【０１２１】
ところで、防塵フィルターの振動の振幅は、電源電圧によっても変化する。例えば、駆動電源として電池を使用する場合、新品電池の場合には振幅が大きく、残容量が少なくなってくると振幅が小さくなる。したがって、比較的低い電圧でも大きな振幅が得られるようにしなければ充分な塵除去機能が得られないことになるが、そうすると新品電池の場合に防塵フィルターの振幅が大きくなりすぎて、防塵フィルター自体が破損してしまうことがある。このような事故を防ぐ為には電圧レギュレータ等の回路を設ければ良いが、全体的な回路構成が複雑になり、カメラの大型化やコストアップを招いてしまうので、得策ではない。
【０１２２】
そこで本願発明の第１の実施形態においては、図１５に示すように「現在の振幅を上回る振幅で長時間の振動を続ければ、防塵フィルターが破損する確率が高くなる」モニター出力値、つまり、安全に振動させることができる上限値をＭｍａｘ　、その際の周波数によって破損の虞が有る周波数領域（Ｆｈ１〜Ｆｈ２）と無い周波数領域（Ｆ１〜Ｆｈ１、および、Ｆｈ２〜Ｆ１５）を規定し、塵除去動作中にモニター出力が上述のＭｍａｘ　を上回ったか否かに応じて振動状態を制御するようにしている。
【０１２３】
以下に、図１２を用いてその詳細を説明する。
【０１２４】
ステップ＃０３１では、図１３のＦ１に対応するプリセット値をＮ進カウンタ４１にセットする。ステップ＃０３２では、防塵フィルター駆動回路１４０を制御して、加振動作を開始させる。ステップ＃０３３では、モニター出力がＭｍａｘ　を上回ったか否かを判定し、上回っていなければステップ＃０３４へ進み、上回っていればステップ＃０３５へ進む。
【０１２５】
ステップ＃０３４では、周波数スキャンが終了したか、つまり、初期周波数Ｆ１から順に周波数を変更して最終的な周波数Ｆ１５まで達したか否かを判定する。最終周波数Ｆ１５に達していなければステップ＃０３６に進み、達していればステップ＃０３５に進む。
【０１２６】
ステップ＃０３６では、図１３に基づいて、現在の設定周波数の次の周波数を設定し、ステップ＃０３３に戻る。
【０１２７】
また、ステップ＃０３５では、ステップ＃０３３でモニター出力がＭｍａｘ　を上回ったと判定した場合、または、ステップ＃０３４で最終周波数Ｆ１５に達していると判定した場合において、加振動作を終了（停止）させ、リターンする。
【０１２８】
以上のように、第１の実施形態においては、モニター出力がＭｍａｘ　を上回った場合に加振動作をすぐに停止させているので、防塵フィルターの振幅が大きくなりすぎて破損するような事故は生じない。
【０１２９】
ところで、電池電圧が非常に高い場合には加振動作の開始後、すぐにモニター出力がＭｍａｘ　を上回ってしまうことがあり得る。防塵フィルターに付着した塵埃等を確実に除去するためにはある程度の加振継続時間を必要とするので、第１の実施形態のようにモニター出力がＭｍａｘ　を上回った直後に加振動作を停止させてしまうと、塵除去動作が不十分となってしまう虞がある。
【０１３０】
そこで、本発明の第２の実施形態においては、図１６に示すように、モニター出力がＭｍａｘ　を上回ってもすぐに加振動作を停止させることなく、ステップ＃０４７に示すように１００ｍＳ待機するようにしている。これによって、確実に塵除去を行うことができる。
【０１３１】
尚、この１００ｍＳという時間は防塵フィルターを含む塵除去機構の特性によって決まる値であり、これに特定されるものではない。
【０１３２】
ステップ＃０４１〜ステップ＃０４６は図１２のステップ＃０３１〜ステップ＃０３６と同じなのでここでの説明を省略する。
【０１３３】
【発明の効果】
本発明によれば、圧電素子の駆動回路の構成を複雑にすることなく、最適な状態で防塵ガラスを振動させることができる電子撮像装置が提供される。
【図面の簡単な説明】
【図１】本発明の第１実施形態に係るデジタルカメラの一部を切断し、その内部構成を概略的に示す斜視図である。
【図２】本発明の第１実施形態に係るデジタルカメラシステムのブロック構成図である。
【図３】本実施形態のカメラ１における撮像ユニット１５の一部を取り出して示す図であって、撮像ユニットを分解して示す要部分解斜視図である。
【図４】本実施形態のカメラ１における撮像ユニット１５の一部を取り出して示す図であって、組み立てた状態の当該撮像ユニットの一部を切断して示す斜視図である。
【図５】図４の切断面に沿う断面図である。
【図６】本カメラ１における撮像ユニット１５のうち防塵フィルター２１及びこれに一体に設けられる圧電素子２２のみを取り出して示す正面図である。
【図７】図６の圧電素子２２に対して駆動電圧を印加した際の防塵フィルター２１及び圧電素子２２の状態変化を示し、図６のＡ−Ａ線に沿う断面図である。
【図８】図６の圧電素子２２に対して駆動電圧を印加した際の防塵フィルター２１及び圧電素子２２の状態変化を示し、図６のＢ−Ｂ線に沿う断面図である。
【図９】防塵フィルター駆動回路１４０の回路図である。
【図１０】第１実施形態に係るデジタルカメラの防塵フィルター２１の駆動およびその動作と制御について説明するためのタイムチャートである。
【図１１】Ｂｕｃｏｍ１５０で稼動する制御プログラムのメインルーチンを示す図である。
【図１２】塵除去動作を行うサブルーチンのフローチャートである。
【図１３】振動の周波数をＦ１からＦ１５までスキャンする場合のＮ進カウンタ４１に設定するプリセット値と、圧電素子２２に印加する駆動周波数の関係を示す図である。
【図１４】周波数スキャン動作に対するモニタ出力の変化を示す図である。
【図１５】塵除去動作中にモニター出力が上述のＭｍａｘ　を上回ったか否かに応じて振動状態を制御する方法を説明する図である。
【図１６】モニター出力がＭｍａｘ　を上回ってもすぐに加振動作を停止させない本発明の第２の実施形態の方法を説明するためのフローチャートである。
【符号の説明】
１　カメラ
１１　カメラ本体部
１１ａ　撮影光学系装着部
１２　レンズ鏡筒
１２ａ　撮影光学系
１３　ファインダー装置
１３ａ　ペンタプリズム
１３ｂ　反射鏡
１３ｃ　接眼レンズ
１４　シャッター部
１５　撮像ユニット
１６　主回路基板
１７　レリーズボタン
２１　防塵フィルター（防塵部材）
２２　圧電素子（加振手段）
２７　撮像素子（光電変換素子）
２８　撮像素子固定板
１１４　サブミラー
１１６　ＡＦセンサユニット
１１７　ＡＦセンサ駆動回路
１１８　ミラー駆動機構
１１９　シャッタチャージ機構
１２０　シャッタ制御回路
１２１　測光回路
１２３　インターフェイス回路
１２４　液晶モニタ
１２５　ＳＤＲＡＭ
１２６　フラッシュＲＯＭ（ＦｌａｓｈＲＯＭ）
１２７　記録メディア
１２８　画像処理コントローラ
１２９　不揮発性メモリ
１３３　温度測定回路
１４０　防塵フィルター駆動回路
１５０　ボディ制御用マイクロコンピュータ（Ｂｕｃｏｍ）
１５１　動作表示用ＬＣＤ
１５２　カメラ操作ＳＷ
１５３　電源回路
１５４　電池
２０２　レンズ駆動機構
２０３　絞り
２０４　絞り駆動機構
２０５　レンズ制御用マイクロコンピュータ（Ｌｕｃｏｍ）
２０６　通信コネクタ
【図１】
2004056368.tif 000003
【図２】
2004056368.tif 000004
【図３】
2004056368.tif 000005
【図４】
2004056368.tif 000006
【図５】
2004056368.tif 000007
【図６】
2004056368.tif 000008
【図７】
2004056368.tif 000009
【図８】
2004056368.tif 000010
【図９】
2004056368.tif 000011
【図１０】
2004056368.tif 000012
【図１１】
2004056368.tif 000013
【図１２】
2004056368.tif 000014
【図１３】
2004056368.tif 000015
【図１４】
2004056368.tif 000016
【図１５】
2004056368.tif 000017
【図１６】
2004056368.tif 000018